【手続補正書】
【提出日】平成30年4月9日(2018.4.9)
【手続補正１】
【補正対象書類名】特許請求の範囲
【補正対象項目名】全文
【補正方法】変更
【補正の内容】
【特許請求の範囲】
【請求項１】
送信電力制御の方法であって、
サブフレームにおける特定のシンボルに関して、第１のアップリンク送信および第２のアップリンク送信が、前記特定のシンボル中の送信のためにスケジューリングされることを決定することと、ここにおいて、前記第１のアップリンク送信は、第１の持続時間を有する第１の伝送時間間隔（ＴＴＩ）と第１の送信電力とに関連付けられ、前記第２のアップリンク送信は、第２の持続時間を有する第２のＴＴＩと第２の送信電力とに関連付けられ、前記第１の持続時間は、前記第２の持続時間とは異なり、
前記第１のアップリンク送信および前記第２のアップリンク送信が前記サブフレームの前記特定のシンボル中の送信のためにスケジューリングされることを前記決定することに基づいて、前記第１の送信電力または前記第２の送信電力の一方または両方に関して電力制限条件が満たされていると決定することと、
前記電力条件が満たされていると前記決定することに基づいて、前記第１の送信電力または前記第２の送信電力の一方または両方を調整することと、
前記第１の送信電力または前記第２の送信電力の一方または両方を前記調整することに基づいて、前記特定のシンボル中に前記第１のアップリンク送信または前記第２のアップリンク送信のうちの少なくとも１つを送信することと
を備える、方法。
【請求項２】
前記第１のＴＴＩに関する第１の最大電力および前記第２のＴＴＩに関する第２の最大電力の構成を受信することをさらに備える、請求項１に記載の方法。
【請求項３】
前記第１のＴＴＩに関する前記電力制限条件は、前記第１の送信電力と前記第１の最大電力の比較に基づいて決定され、前記第１の送信電力は、前記電力制限条件が満たされているときに前記第１の最大電力に基づいて調整される、請求項２に記載の方法。
【請求項４】
前記第２のＴＴＩに関する前記電力制限条件は、前記第２の送信電力と前記第２の最大電力の比較に基づいて決定され、前記第２の送信電力は、前記電力制限条件が満たされているときに前記第２の最大電力に基づいて調整される、請求項２に記載の方法。
【請求項５】
前記電力制限条件は、前記第１の送信電力と前記第２の送信電力の合計の、前記特定のシンボルの総送信電力との比較に基づいている、請求項１に記載の方法。
【請求項６】
電力制御モードを示す構成を受信することと、
前記電力制御モードにさらに基づいて送信電力調整を行うことと
をさらに備える、請求項１に記載の方法。
【請求項７】
前記第１の送信電力または前記第２の送信電力の一方または両方を前記調整することは、前記第１の送信電力と前記第２の送信電力の合計が前記特定のシンボルの総送信電力を超えないように、前記第１の送信電力または前記第２の送信電力の一方または両方をスケーリングすることを備える、請求項１に記載の方法。
【請求項８】
前記第２の送信電力よりも前記第１の送信電力を優先することをさらに備え、前記第１の送信電力または前記第２の送信電力の一方または両方を調整することは、前記第２の送信電力を保証最小送信電力に調整することを備える、請求項１に記載の方法。
【請求項９】
前記第１の送信電力または前記第２の送信電力の一方または両方を調整した後に、前記特定のシンボル中に前記第１のアップリンク送信および前記第２のアップリンク送信を送信することをさらに備える、請求項１に記載の方法。
【請求項１０】
前記第１のアップリンク送信は、超低レイテンシ（ＵＬＬ）アップリンク送信であり、前記第２のアップリンク送信は、レガシーアップリンク送信である、請求項１に記載の方法。
【請求項１１】
前記第２の持続時間は１サブフレームに相当し、前記第１の持続時間は１より小さいサブフレームに相当する、請求項１に記載の方法。
【請求項１２】
前記調整することは、前記第１のアップリンク送信に関連付けられた変調方式にさらに基づいて行われる、請求項１に記載の方法。
【請求項１３】
前記調整することは、前記第２のアップリンク送信に関連付けられた変調方式にさらに基づいて行われる、請求項１に記載の方法。
【請求項１４】
前記調整することは、前記第１のアップリンク送信または前記第２のアップリンク送信に関連付けられたチャネルのタイプに基づいて行われる、請求項１に記載の方法。
【請求項１５】
送信電力制御を行うための装置であって、
サブフレームの特定のシンボルに関して、第１のアップリンク送信および第２のアップリンク送信が、前記特定のシンボル中の送信のためにスケジューリングされることを決定するための手段と、ここにおいて、前記第１のアップリンク送信は、第１の持続時間を有する第１の伝送時間間隔（ＴＴＩ）と第１の送信電力とに関連付けられ、前記第２のアップリンク送信は、第２の持続時間を有する第２のＴＴＩと第２の送信電力とに関連付けられ、前記第１の持続時間は、前記第２の持続時間とは異なり、
前記第１のアップリンク送信および前記第２のアップリンク送信が前記サブフレームの前記特定のシンボル中の送信のためにスケジューリングされることを決定するための前記手段に基づいて、前記第１の送信電力または前記第２の送信電力の一方または両方に関して電力制限条件が満たされていると決定するための手段と、
前記電力制限条件が満たされていると決定するための前記手段に基づいて、前記第１の送信電力または前記第２の送信電力の一方または両方を調整するための手段と、
前記第１の送信電力または前記第２の送信電力の一方または両方を調整するための前記手段に基づいて、前記特定のシンボル中に前記第１のアップリンク送信または前記第２のアップリンク送信のうちの少なくとも１つを送信するための手段と
を備える、装置。
【請求項１６】
送信電力制御のためのコンピュータ実行可能コードを記憶する非一時的なコンピュータ可読媒体であって、前記コードは、
サブフレームの特定のシンボルに関して、第１のアップリンク送信および第２のアップリンク送信が、前記シンボル中の送信のためにスケジューリングされることを決定することと、ここにおいて、前記第１のアップリンク送信は、第１の持続時間を有する第１の伝送時間間隔（ＴＴＩ）と第１の送信電力とに関連付けられ、前記第２のアップリンク送信は、第２の持続時間を有する第２のＴＴＩと第２の送信電力とに関連付けられ、前記第１の持続時間は、前記第２の持続時間とは異なり、
前記第１のアップリンク送信および前記第２のアップリンク送信が前記サブフレームの前記特定のシンボル中の送信のためにスケジューリングされることを前記決定することに基づいて、前記第１の送信電力または前記第２の送信電力の一方または両方に関して電力制限条件が満たされていると決定することと、
前記電力制限条件が満たされていると前記決定することに基づいて、前記第１の送信電力または前記第２の送信電力の一方または両方を調整することと、
前記第１の送信電力または前記第２の送信電力の一方または両方を前記調整することに基づいて、前記特定のシンボル中に前記第１のアップリンク送信または前記第２のアップリンク送信のうちの少なくとも１つを送信することと
を行うように実行可能な命令を備える、非一時的なコンピュータ可読媒体。
【請求項１７】
送信電力制御を行うための装置であって、
プロセッサと、
前記プロセッサと電子通信しているメモリと、
前記メモリに記憶された命令と
を備え、前記命令は、
サブフレームの特定のシンボルに関して、第１のアップリンク送信および第２のアップリンク送信が、前記シンボル中の送信のためにスケジューリングされることを決定することと、ここにおいて、前記第１のアップリンク送信は、第１の持続時間を有する第１の伝送時間間隔（ＴＴＩ）と第１の送信電力とに関連付けられ、前記第２のアップリンク送信は、第２の持続時間を有する第２のＴＴＩと第２の送信電力とに関連付けられ、前記第１の持続時間は、前記第２の持続時間とは異なり、
前記第１のアップリンク送信および前記第２のアップリンク送信が前記サブフレームの前記特定のシンボル中の送信のためにスケジューリングされることを前記決定することに基づいて、前記第１の送信電力または前記第２の送信電力の一方または両方に関して電力制限条件が満たされていると決定することと、
前記電力制限条件が満たされていると決定するための前記手段に基づいて、前記第１の送信電力または前記第２の送信電力の一方または両方を調整することと、
前記第１の送信電力または前記第２の送信電力の一方または両方を前記調整することに基づいて、前記特定のシンボル中に前記第１のアップリンク送信または前記第２のアップリンク送信のうちの少なくとも１つを送信することと
を行うように前記プロセッサによって実行可能である、装置。
【請求項１８】
前記命令は、前記第１のＴＴＩに関する第１の最大電力および前記第２のＴＴＩに関する第２の最大電力の構成を受信するように前記プロセッサによってさらに実行可能である、請求項１７に記載の装置。
【請求項１９】
前記第１のＴＴＩに関する前記電力制限条件は、前記命令にしたがって、前記第１の送信電力と前記第１の最大電力の比較に基づいて決定され、前記第１の送信電力は、前記電力制限条件が満たされているときに前記第１の最大電力に基づいて調整される、請求項１８に記載の装置。
【請求項２０】
前記第２のＴＴＩに関する前記電力制限条件は、前記命令にしたがって、前記第２の送信電力と前記第２の最大電力の比較に基づいて決定され、前記第２の送信電力は、前記命令にしたがって、前記電力制限条件が満たされているときに前記第２の最大電力に基づいて調整される、請求項１８に記載の装置。
【請求項２１】
前記電力制限条件は、前記第１の送信電力と前記第２の送信電力の合計の、前記特定のシンボルの総送信電力との比較に基づいている、請求項１７に記載の装置。
【請求項２２】
前記命令は、
電力制御モードを示す構成を受信することと、
前記電力制御モードにさらに基づいて送信電力調整を行うことと
を行うように前記プロセッサによってさらに実行可能である、請求項１７に記載の装置。
【請求項２３】
前記第１の送信電力または前記第２の送信電力の一方または両方を調整するように前記プロセッサによって実行可能な前記命令は、前記第１の送信電力と前記第２の送信電力の合計が前記特定のシンボルの総送信電力を超えないように、前記第１の送信電力または前記第２の送信電力の一方または両方をスケーリングするように前記プロセッサによって実行可能な命令を備える、請求項１７に記載の装置。
【請求項２４】
前記プロセッサによって実行可能な前記命令は、前記第２の送信電力よりも前記第１の送信電力を優先するように前記プロセッサによって実行可能な命令をさらに備え、前記第１の送信電力または前記第２の送信電力の一方または両方を調整するように前記プロセッサによって実行可能な前記命令は、前記第２の送信電力を保証最小送信電力に調整するように前記プロセッサによって実行可能な命令を含む、請求項１７に記載の装置。
【請求項２５】
前記命令は、前記第１の送信電力または前記第２の送信電力の一方または両方を調整した後に、前記特定のシンボル中に前記第１のアップリンク送信および前記第２のアップリンク送信を送信するように前記プロセッサによって実行可能な命令をさらに備える、請求項１７に記載の装置。
【請求項２６】
前記第１のアップリンク送信は、超低レイテンシ（ＵＬＬ）アップリンク送信であり、前記第２のアップリンク送信は、レガシーアップリンク送信である、請求項１７に記載の装置。
【請求項２７】
前記第２の持続時間は１サブフレームに相当し、前記第１の持続時間は１より小さいサブフレームに相当する、請求項１７に記載の装置。
【請求項２８】
前記第１の送信電力または前記第２の送信電力の一方または両方を調整するように前記プロセッサによって実行可能な前記命令は、前記第１のアップリンク送信に関連付けられた変調方式に基づいて前記第１の送信電力または前記第２の送信電力の一方または両方を調整するように前記プロセッサによって実行可能な命令を備える、請求項１７に記載の装置。
【請求項２９】
前記第１の送信電力または前記第２の送信電力の一方または両方を調整するように前記プロセッサによって実行可能な前記命令は、前記第２のアップリンク送信に関連付けられた変調方式に基づいて前記第１の送信電力または前記第２の送信電力の一方または両方を調整するように前記プロセッサによって実行可能な命令を備える、請求項１７に記載の装置。
【請求項３０】
前記第１のアップリンク送信および前記第２のアップリンク送信が送信のためにスケジューリングされることを前記決定することは、前記サブフレームにおける各シンボルに関して、前記第１のアップリンク送信および前記第２のアップリンク送信が送信のためにスケジューリングされることを決定することを備える、請求項１に記載の方法。
【手続補正２】
【補正対象書類名】明細書
【補正対象項目名】００９１
【補正方法】変更
【補正の内容】
【００９１】
[00101]  先の説明は、当業者が本明細書に説明された様々な態様を実現することを可能にするために提供されている。これらの態様に対する様々な修正は、当業者にとって容易に明らかとなり、本明細書で定義される包括的な原理は他の態様に適用され得る。したがって、特許請求の範囲は、本明細書に示されている態様に限定されるように意図されたものではなく、請求項の文言と矛盾しない最大範囲であると認められるべきであり、ここで、単数の要素への参照は、そのように明確に記載されていない限り、「１つおよび１つのみ」を意味するのではなく、むしろ「１つまたは複数」を意味するように意図されている。そうでないことが明確に記載されていない限り、「いくつかの」という用語は１つまたは複数を指す。「Ａ、Ｂ、またはＣのうちの少なくとも１つ」、「Ａ、Ｂ、またはＣのうちの１つまたは複数」、「Ａ、Ｂ、およびＣのうちの少なくとも１つ」、「Ａ、Ｂ、およびＣのうちの１つまたは複数」、および「Ａ、Ｂ、Ｃ、またはこれらの任意の組合せ」といった組合せは、Ａ、Ｂ、および／またはＣの任意の組合せを含み、Ａの倍数、Ｂの倍数、またはＣの倍数を含み得る。特に、「Ａ、Ｂ、またはＣのうちの少なくとも１つ」、「Ａ、Ｂ、またはＣのうちの１つまたは複数」、「Ａ、Ｂ、およびＣのうちの少なくとも１つ」、「Ａ、Ｂ、およびＣのうちの１つまたは複数」、および「Ａ、Ｂ、Ｃ、またはこれらの任意の組合せ」といった組合せは、Ａのみ、Ｂのみ、Ｃのみ、ＡとＢ、ＡとＣ、ＢとＣ、またはＡとＢとＣであってもよく、ここで、このような任意の組合せが、Ａ、Ｂ、またはＣのメンバーもしくは１つまたは複数のメンバーを含み得る。当業者に既知である、または後に知られることになる、本開示全体にわたって説明された様々な態様の要素に対するすべての構造的および機能的な同等物が、参照によって本明細書に明確に組み込まれ、特許請求の範囲によって包含されることが意図されている。さらに、本明細書に開示されたものが特許請求の範囲に明示的に記載されているかどうかにかかわらず、そのような開示のいずれも、公に寄与されることを意図したものではない。「モジュール」、「メカニズム」、「要素」、「デバイス」、および同様の用語は、「手段」という用語の代用物でないこともある。このように、いずれの請求項の要素も、その要素が「〜のための手段」というフレーズを使用して明示的に記載されていない限り、ミーンズプラスファンクションとして解釈されるべきではない。
以下に、本願出願の当初の特許請求の範囲に記載された発明を付記する。
［Ｃ１］
送信電力制御の方法であって、
第１のアップリンク送信および第２のアップリンク送信が、サブフレームのシンボル中の送信のためにスケジューリングされることを決定することと、ここにおいて、前記第１のアップリンク送信は、第１の伝送時間間隔（ＴＴＩ）と第１の送信電力とを有し、前記第２のアップリンク送信は、前記第１のＴＴＩとは異なる第２のＴＴＩと第２の送信電力とを有する、
前記第１の送信電力または前記第２の送信電力の一方または両方に関して電力制限条件が満たされていると決定することと、
前記電力制限条件が満たされているという決定に基づいて、前記第１の送信電力または前記第２の送信電力の一方または両方を調整することと
を備える、方法。
［Ｃ２］
前記第１のＴＴＩに関する第１の最大電力および前記第２のＴＴＩに関する第２の最大電力の構成を受信することをさらに備える、Ｃ１に記載の方法。
［Ｃ３］
前記第１のＴＴＩに関する前記電力制限条件は、前記第１の送信電力と前記第１の最大電力の比較に基づいて決定され、前記第１の送信電力は、前記電力制限条件が満たされているときに前記第１の最大電力に基づいて調整される、Ｃ２に記載の方法。
［Ｃ４］
前記第２のＴＴＩに関する前記電力制限条件は、前記第２の送信電力と前記第２の最大電力の比較に基づいて決定され、前記第２の送信電力は、前記電力制限条件が満たされているときに前記第２の最大電力に基づいて調整される、Ｃ２に記載の方法。
［Ｃ５］
前記電力制限条件は、前記第１の送信電力と前記第２の送信電力の合計の、前記シンボルの総送信電力との比較に基づいている、Ｃ１に記載の方法。
［Ｃ６］
電力制御モードを示す構成を受信することと、
前記電力制御モードにさらに基づいて送信電力調整を行うことと
をさらに備える、Ｃ１に記載の方法。
［Ｃ７］
前記第１の送信電力または前記第２の送信電力の一方または両方を前記調整することは、前記第１の送信電力と前記第２の送信電力の合計が前記シンボルの総送信電力を超えないように、前記第１の送信電力または前記第２の送信電力の一方または両方をスケーリングすることを備える、Ｃ１に記載の方法。
［Ｃ８］
前記第２の送信電力よりも前記第１の送信電力を優先することをさらに備え、前記第１の送信電力または前記第２の送信電力の一方または両方を調整することは、前記第２の送信電力を保証最小送信電力に調整することを備える、Ｃ１に記載の方法。
［Ｃ９］
前記第１の送信電力または前記第２の送信電力の一方または両方を調整した後に、前記シンボル中に前記第１のアップリンク送信および前記第２のアップリンク送信を送信することをさらに備える、Ｃ１に記載の方法。
［Ｃ１０］
前記第１のアップリンク送信は、超低レイテンシ（ＵＬＬ）アップリンク送信であり、前記第２のアップリンク送信は、レガシーアップリンク送信である、Ｃ１に記載の方法。
［Ｃ１１］
前記第２のＴＴＩは１サブフレームに相当し、前記第１のＴＴＩは１より小さいサブフレームに相当する、Ｃ１に記載の方法。
［Ｃ１２］
前記調整することは、前記第１のアップリンク送信に関連付けられた変調方式にさらに基づいて行われる、Ｃ１に記載の方法。
［Ｃ１３］
前記調整することは、前記第２のアップリンク送信に関連付けられた変調方式にさらに基づいて行われる、Ｃ１に記載の方法。
［Ｃ１４］
前記調整することは、前記第１のアップリンク送信または前記第２のアップリンク送信に関連付けられたチャネルのタイプに基づいて行われる、Ｃ１に記載の方法。
［Ｃ１５］
送信電力制御を行うための装置であって、
第１のアップリンク送信および第２のアップリンク送信が、サブフレームのシンボル中の送信のためにスケジューリングされることを決定するための手段と、ここにおいて、前記第１のアップリンク送信は、第１の伝送時間間隔（ＴＴＩ）と第１の送信電力とを有し、前記第２のアップリンク送信は、前記第１のＴＴＩとは異なる第２のＴＴＩと第２の送信電力とを有する、
前記第１の送信電力または前記第２の送信電力の一方または両方に関して電力制限条件が満たされていると決定するための手段と、
前記電力制限条件が満たされているという決定に基づいて、前記第１の送信電力または前記第２の送信電力の一方または両方を調整するための手段と
を備える、装置。
［Ｃ１６］
送信電力制御のためのコンピュータ実行可能コードを記憶する非一時的なコンピュータ可読媒体であって、前記コードは、
第１のアップリンク送信および第２のアップリンク送信が、サブフレームのシンボル中の送信のためにスケジューリングされることを決定することと、ここにおいて、前記第１のアップリンク送信は、第１の伝送時間間隔（ＴＴＩ）と第１の送信電力とを有し、前記第２のアップリンク送信は、前記第１のＴＴＩとは異なる第２のＴＴＩと第２の送信電力とを有する、
前記第１の送信電力または前記第２の送信電力の一方または両方に関して電力制限条件が満たされていると決定することと、
前記電力制限条件が満たされているという決定に基づいて、前記第１の送信電力または前記第２の送信電力の一方または両方を調整することと
を行うように実行可能な命令を備える、非一時的なコンピュータ可読媒体。
［Ｃ１７］
送信電力制御を行うための装置であって、
プロセッサと、
前記プロセッサと電子通信しているメモリと、
前記メモリに記憶された命令と
を備え、前記命令は、
第１のアップリンク送信および第２のアップリンク送信が、サブフレームのシンボル中の送信のためにスケジューリングされることを決定することと、ここにおいて、前記第１のアップリンク送信は、第１の伝送時間間隔（ＴＴＩ）と第１の送信電力とを有し、前記第２のアップリンク送信は、前記第１のＴＴＩとは異なる第２のＴＴＩと第２の送信電力とを有する、
前記第１の送信電力または前記第２の送信電力の一方または両方に関して電力制限条件が満たされていると決定することと、
前記電力制限条件が満たされているという決定に基づいて、前記第１の送信電力または前記第２の送信電力の一方または両方を調整することと
を行うように前記プロセッサによって実行可能である、装置。
［Ｃ１８］
前記命令は、前記第１のＴＴＩに関する第１の最大電力および前記第２のＴＴＩに関する第２の最大電力の構成を受信するように前記プロセッサによってさらに実行可能である、Ｃ１７に記載の装置。
［Ｃ１９］
前記第１のＴＴＩに関する前記電力制限条件は、前記命令にしたがって、前記第１の送信電力と前記第１の最大電力の比較に基づいて決定され、前記第１の送信電力は、前記電力制限条件が満たされているときに前記第１の最大電力に基づいて調整される、Ｃ１８に記載の装置。
［Ｃ２０］
前記第２のＴＴＩに関する前記電力制限条件は、前記命令にしたがって、前記第２の送信電力と前記第２の最大電力の比較に基づいて決定され、前記第２の送信電力は、前記命令にしたがって、前記電力制限条件が満たされているときに前記第２の最大電力に基づいて調整される、Ｃ１８に記載の装置。
［Ｃ２１］
前記電力制限条件は、前記第１の送信電力と前記第２の送信電力の合計の、前記シンボルの総送信電力との比較に基づいている、Ｃ１７に記載の装置。
［Ｃ２２］
前記命令は、
電力制御モードを示す構成を受信することと、
前記電力制御モードにさらに基づいて送信電力調整を行うことと
を行うように前記プロセッサによってさらに実行可能である、Ｃ１７に記載の装置。
［Ｃ２３］
前記第１の送信電力または前記第２の送信電力の一方または両方を調整するように前記プロセッサによって実行可能な前記命令は、前記第１の送信電力と前記第２の送信電力の合計が前記シンボルの総送信電力を超えないように、前記第１の送信電力または前記第２の送信電力の一方または両方をスケーリングするように前記プロセッサによって実行可能な命令を備える、Ｃ１７に記載の装置。
［Ｃ２４］
前記プロセッサによって実行可能な前記命令は、前記第２の送信電力よりも前記第１の送信電力を優先するように前記プロセッサによって実行可能な命令をさらに備え、前記第１の送信電力または前記第２の送信電力の一方または両方を調整するように前記プロセッサによって実行可能な前記命令は、前記第２の送信電力を保証最小送信電力に調整するように前記プロセッサによって実行可能な命令を含む、Ｃ１７に記載の装置。
［Ｃ２５］
前記命令は、前記第１の送信電力または前記第２の送信電力の一方または両方を調整した後に、前記シンボル中に前記第１のアップリンク送信および前記第２のアップリンク送信を送信するように前記プロセッサによって実行可能な命令をさらに備える、Ｃ１７に記載の装置。
［Ｃ２６］
前記第１のアップリンク送信は、超低レイテンシ（ＵＬＬ）アップリンク送信であり、前記第２のアップリンク送信は、レガシーアップリンク送信である、Ｃ１７に記載の装置。
［Ｃ２７］
前記第２のＴＴＩは１サブフレームに相当し、前記第１のＴＴＩは１より小さいサブフレームに相当する、Ｃ１７に記載の装置。
［Ｃ２８］
前記第１の送信電力または前記第２の送信電力の一方または両方を調整するように前記プロセッサによって実行可能な前記命令は、前記第１のアップリンク送信に関連付けられた変調方式に基づいて前記第１の送信電力または前記第２の送信電力の一方または両方を調整するように前記プロセッサによって実行可能な命令を備える、Ｃ１７に記載の装置。
［Ｃ２９］
前記第１の送信電力または前記第２の送信電力の一方または両方を調整するように前記プロセッサによって実行可能な前記命令は、前記第２のアップリンク送信に関連付けられた変調方式に基づいて前記第１の送信電力または前記第２の送信電力の一方または両方を調整するように前記プロセッサによって実行可能な命令を備える、Ｃ１７に記載の装置。
［Ｃ３０］
前記第１の送信電力または前記第２の送信電力の一方または両方を調整するように前記プロセッサによって実行可能な前記命令は、前記第１のアップリンク送信または前記第２のアップリンク送信の一方または両方に関連付けられたチャネルのタイプに基づいて前記第１の送信電力または前記第２の送信電力の一方または両方を調整するように前記プロセッサによって実行可能な命令を備える、Ｃ１７に記載の装置。